(57)【要約】      （修正有）【課題】鳥の餌箱に残った殻を息で吹き飛ばしても舞い上がった殻が目や口の中に入ることのない鳥の餌の殻飛ばしマスクを提供する。【解決手段】目を覆う位置に配置されて透視可能でかつ鳥の餌の殻を通さない目の粗さを持つ帯状の第１のメッシュシート２２と、この第１のメッシュシートと連結されて全体として顔を覆うマスク状に構成され、口を覆う位置に配置されて口から吹きだす空気が容易に通過しかつ鳥の餌の殻を通さない目の粗さを持つ帯状の第２のメッシュシート２４と、端部を第１のメッシュシート２２もしくは第２のメッシュシート２４の側縁に取り付けた顔への保持部材３６を備えた。【選択図】図１
0003149280.tif 000002
【実用新案登録請求の範囲】
【請求項１】
目を覆う位置に配置されて透視可能でかつ鳥の餌の殻を通さない目の粗さを持つ帯状の第１のメッシュシートと、
この第１のメッシュシートと連結されて全体として顔を覆うマスク状に構成され、口を覆う位置に配置されて口から吹きだす空気が容易に通過しかつ鳥の餌の殻を通さない目の粗さを持つ帯状の第２のメッシュシートと、
端部を前記第１のメッシュシートもしくは前記第２のメッシュシートの側縁に取り付けた顔面への保持部材を備えたことを特徴とする鳥の餌の殻飛ばしマスク。
【請求項２】
前記顔面への保持部材は、前記第１のメッシュシートもしくは前記第２のメッシュシートの側縁に端部を固定した耳掛け紐であることを特徴とする請求項１に記載の鳥の餌の殻飛ばしマスク。
【請求項３】
前項紐は長さ調節機構を備えたことを特徴とする請求項２に記載の鳥の餌の殻飛ばしマスク。
【請求項４】
前記紐の端部を、前記第１のメッシュシートと前記第２のメッシュシートの側縁に沿って移動可能に固定したことを特徴とする請求項２または３のいずれかに記載の鳥の餌の殻飛ばしマスク。
【請求項５】
前記顔面への保持部材は、前記第１のメッシュシートもしくは前記第２のメッシュシートの側縁に固定した粘着テープであることを特徴とする請求項１に記載の鳥の餌の殻飛ばしマスク。
【請求項６】
前記第１のメッシュシートと前記第２のメッシュシートの境界近傍に、ふたつに折り曲げるための折り畳み部を設けたことを特徴とする請求項１乃至５のいずれかに記載の鳥の餌の殻飛ばしマスク。
【請求項７】
前記第１のメッシュシートと前記第２のメッシュシートとを折り畳み貼り合わせる面に面ファスナを配置したことを特徴とする請求項１乃至６のいずれかに記載の鳥の餌の殻飛ばしマスク。
【請求項８】
前記第１のメッシュシートと前記第２のメッシュシートの境界近傍に、ノーズクランプを取り付けたことを特徴とする請求項１乃至７のいずれかに記載の鳥の餌の殻飛ばしマスク。
【請求項９】
前記第１のメッシュシートと前記第２のメッシュシートとは、有彩色または無彩色で、抗菌加工を施したことを特徴とする請求項１乃至８のいずれかに記載の鳥の餌の殻飛ばしマスク。
【考案の詳細な説明】
【技術分野】
【０００１】
本考案は、愛鳥の餌の殻を除去する際に使用されるマスクに関する。
【背景技術】
【０００２】
愛鳥の餌の殻を、餌皿から強制的に除去する器具が知られている。
【特許文献１】特開２００２−３３０６６０号公報
【０００３】
物が目鼻や口に入らないように、顔の全面を覆うマスクが知られている。
【特許文献２】特開２０００−３００５９７
【考案の概要】
【考案が解決しようとする課題】
【０００４】
殻のない鳥の餌（一般には「むき餌」という）もあるが、殻がないと栄養価の低い餌になる。従って、愛鳥のためには栄養がある殻付餌を推奨するとの獣医の指摘がある。しかしながら、粟、ひえ、などの殻付餌を愛鳥に与えると、餌箱に殻が堆積する。これを口で吹き飛ばして掃除しようとすると、口の中や目などに入り不快な思いをする。機械的な複雑な装置は家庭用には不向きである。既知の塵埃防護用のマスクでは、息を強く吹き出すことができない。
本考案は、息を強く吹き出すことができて、かつ、目や口を保護できるマスクを提供することを目的とする。
【課題を解決するための手段】
【０００５】
本考案の各実施例においては、それぞれ次のような構成により上記の課題を解決する。
〈構成１〉
【考案の効果】
【０００６】
鳥が、粟、ひえなどの殻付餌を食べると餌箱に殻が残る。これを取り除くのに屋外で殻を息で吹き飛ばす。殻付餌に思いっきり息を吹きかける。このとき殻付餌の殻が目や口の中に入ってくることがある。目に入れば痛いし、口の中は汚れる。本考案のマスクを着用すれば、目や口をマスクで覆っているので不快な思いをせずに済む。口の部分は薄くなっており、息を強く吹き出すことができる。
【図面の簡単な説明】
【０００７】
【図１】本考案の鳥の餌の殻飛ばしマスク１０の実施例を示す斜視図である。
【図２】マスク装着位置の説明図である。
【図３】マスク装着状態の説明図である。
【図４】耳掛け紐３６の長さ調節機構の説明図である。
【図５】鳥の餌の殻飛ばしマスク１０を折り畳む状態を示す斜視図である。
【図６】鳥の餌の殻飛ばしマスク１０の折り畳み面（図１の裏面）の斜視図である。
【図７】鳥の餌の殻飛ばしマスク１０への耳掛け紐３６の取付け位置の調整機構の説明図である。
【図８】ごく普通のマスクとしての装着状態の説明図である。
【図９】耳掛け紐３６を利用しない場合の鳥の餌の殻飛ばしマスク１０の実施例を示す斜視図である。
【図１０】飼い鳥（ａ）の図と殻付餌（ｂ）の図である。
【図１１】餌箱の中にある殻を取り除くために息を吹きかける。（ａ）吹きかけた息で飛ばした殻が目や口に入る図（ｂ）である。
【図１２】考案したマスクを装着することによって殻が飛んできても、目や口に殻が入らないことを示す図である。
【考案を実施するための形態】
【実施例】
【０００８】
図１は、本考案の鳥の餌の殻飛ばしマスク１０の実施例を示す斜視図である。また、図２はマスク装着位置の説明図である。
この鳥の餌の殻飛ばしマスク１０は、帯状の第１のメッシュシート２２と帯状の第２のメッシュシート２４とを連結して、全体として顔を覆うマスク状に構成したものである。
第１のメッシュシート２２も第２のメッシュシート２４も一般のマスクに使用されるガーゼや不織布により構成することができる。
【０００９】
第１のメッシュシート２２は、目を覆う位置に配置されて透視可能でかつ鳥の餌の殻を通さない目の粗さを持つ帯状に構成される。ガーゼ等を重ね合わせて構成するとよい。
第２のメッシュシート２４は、口を覆う位置に配置されて口から吹きだす空気が容易に通過しかつ鳥の餌の殻を通さない目の粗さを持つ帯状に構成される。口から息を強く吹きだすことができるように、第１のメッシュシート２２よりも薄手の構成が好ましい。
【００１０】
鳥の餌の殻飛ばしマスク１０を顔面に保持するために、この例では、左右一対の耳掛け紐３６を使用した。耳掛け紐３６は、その端部を第１のメッシュシート２２もしくは第２のメッシュシート２４の側縁に取り付けるとよい。図２に示すように、本考案の鳥の餌の殻飛ばしマスク１０は、顔１４全面を覆うようにして使用される。第１のメッシュシート２２は目１６を覆う。第２のメッシュシート２４は口１８を覆う。
【００１１】
図３はマスク装着状態の説明図である。
図３に示すように、鳥の餌の殻飛ばしマスク１０は、顔１４全体をできるだけ広く覆うことか好ましい。
【００１２】
図１に示した鳥の餌の殻飛ばしマスク１０の耳掛け紐３６は、長さ調節機構を備えていることが好ましい。図４の例では、チューブ状のクリップ３７を使用した。これにより、耳掛け紐３６の輪の中間の固定する位置を自由に変えて長さ調整できる。さらに、耳掛け紐３６の端部を、第１のメッシュシート２２と第２のメッシュシート２４の側縁に沿って移動可能に固定することが好ましい。図３に示したように、鳥の餌の殻飛ばしマスク１０の装着状態により、耳掛け紐３６の適切な長さも位置も最適な状態には個人差が大きい。これらの調節機構はこの個人差を吸収する。
【００１３】
図５は、鳥の餌の殻飛ばしマスク１０を折り畳む状態を示す斜視図である。
鳥の餌の殻飛ばしマスク１０は、ごく普通のマスクとしても使用できる。このために、耳掛け紐３６の端部を移動させて、第１のメッシュシート２２と第２のメッシュシート２４とを折り畳み、口だけを覆うことができるようにした。第１のメッシュシート２２と第２のメッシュシート２４とを折り畳み、貼り合わせるために、図５、図６に示すように接着面に面ファスナ３８を利用し、第１のメッシュシート２２と第２のメッシュシート２４を接着させる。こうすれば、第１のメッシュシート２２と第２のメッシュシート２４の間に隙間ができないようにして、外部からの異物の侵入を防ぐことができる。
【００１４】
また、耳掛け紐３６の端部を、第１のメッシュシート２２の側縁に沿って移動可能にするために、例えば、図７のようにマスクの側縁をレール状に加工する。図７（ｂ）に示すスライダ４６に耳掛け紐３６の一端を結束する。スライダ４６はレール４２上をスライドできる。従って、耳掛け紐３６の端部を最適位置に位置決めできる。第２のメッシュシート２４の側をレール状に加工（レール４２のように）してもよい。また、第１のメッシュシート２２と第２のメッシュシート２４の境界近傍に、ノーズクランプ４４を取り付けるとよい。ノーズクランプは、針金等によって第２のメッシュシート２４の形状を鼻の形に沿って折り曲げることができる。従って、顔の凹凸に沿ってマスク全体を密着させることができる。
【００１５】
図８はごく普通のマスクとしての装着状態の説明図である。
ごく普通のマスクとして使用するときは、折り畳み部４０を境にして第１のメッシュシート２２と第２のメッシュシート２４とを折り畳む。従って、折り畳み部４０の位置に一方の耳掛け紐３６の端部が移動されている。なお、利用者の好みに対応するために有彩色、無彩色を揃え、いずれも抗菌加工を施すこととする。
【００１６】
図９は、鳥の餌の殻飛ばしマスク１０を顔面１４に保持するために、耳掛け紐３６の代わりに両面テープ４８を使用したものである。両面テープ４８を顔の頬の部分に接着させて、マスクを顔面に固定する。この両面テープは、顔面にマスクの縁を固定するための粘着性のあるテープであればよい。粘着テープを使用することにより、紐をなくして、耳に掛ける紐の煩わしさから開放される。
【００１７】
（実際の使用例）
図１０と図１１と図１２は、鳥の餌の殻飛ばしマスク１０の使用例を示した説明図である。
図１０の（ａ）に示す鳥が図１０の（ｂ）に示す殻付餌を食べると餌箱に殻が残り、これを取り除く必要がある。図１１の（ａ）に示すように殻が残った餌箱に向けて息を吹きかけて取り除こうとする。この場合、図１１の（ｂ）に示すように殻付餌の殻が目や口の中に入ってくる。目に入れば痛いし、口に入れば汚い。図１２に示すように考案した鳥の餌の殻飛ばしマスク１０を着用すれば、目や口だけでなく、顔全体を覆っているため、息を吹きかけた際に吹き飛ぶ殻が目や口に入ることを防ぐことができ、かつ、視界の確保及び息の透過性を十分に確保できているため、不快な思いをせず、鳥の餌の殻飛ばしを実施することができる。
【符号の説明】
【００１８】
１０  鳥の餌の殻飛ばしマスク
１２  頭部
１４  顔
１６  目
１８  口
２２  第１のメッシュシート
２４  第２のメッシュシート
２６  飼い鳥
２８  鳥の殻付餌
３２  吹きだす空気
３４  餌の殻
３６  耳掛け紐
３７  チューブ状のクリップ
３８  面ファスナ
４０  折り畳み部
４２  レール
４４  ノーズクランプ
４６  スライダ
４８  両面テープ
【図１】
0003149280.tif 000003
【図２】
0003149280.tif 000004
【図３】
0003149280.tif 000005
【図４】
0003149280.tif 000006
【図５】
0003149280.tif 000007
【図６】
0003149280.tif 000008
【図７】
0003149280.tif 000009
【図８】
0003149280.tif 000010
【図９】
0003149280.tif 000011
【図１０】
0003149280.tif 000012
【図１１】
0003149280.tif 000013
【図１２】
0003149280.tif 000014